(57)【要約】      （修正有）【課題】電動防水扉の水密構造を提供する。【解決手段】各防水扉板両側がそれぞれ扉レール内に進入し相互に重なって接続する時、ボルト６５１により出力部品６５２を駆動し、上部連動アーム６４の第一可動接続部６４１端を押し、第三可動接続部６４３は上部スイングアーム６３の牽引を受けるため、第二可動接続部６４２は逆向きの放物線に近いルートで圧迫ロッド６６を連動し、下方へと移動させ、下部連動アーム６９のピン部品６９１端は、長槽６７２内におけるスライド移動に限定されるため、下部スイングアーム６８の牽引により、下部連動アーム６９の同期した相対的な動きは、圧迫ロッド６６の一面端を防水扉板の板面に向かい密着させて押す。これにより防水扉を閉じた後は、包括的な防水、止水を完成でき、しかも設置とメンテナンスにも有利となる。【選択図】図４
0003185150.tif 000002
【実用新案登録請求の範囲】
【請求項１】
電動防水扉の水密構造は、シャーシ内に多数の防水扉板を寄せて収納し、第一モーターは、スプロケットホイールにより前記各防水扉板に接続するチェーンを連動し、これにより前記各防水扉板を、一つ一つ出口から送り出し下へと移動させ、両側に上から下へと直列するシールゴムパッキンをそれぞれ備える扉レール内へと進入させ、相互に重ねて接続させ、しかも前記シャーシ内の防水扉板両側には、さらに水密装置をそれぞれ設置し、前記出口上縁、側縁には、少なくとも１個の加圧装置を設置し、
前記水密装置は、少なくとも１個の上部ベース、ハウジング、上部スイングアーム、上部連動アーム、出力ロッド、圧迫ロッド、底部ベース、下部スイングアーム、下部連動アームを備え、
前記上部ベース上には、可動設置部を備え、
前記ハウジングの底端は、前記上部ベース上に固定して設置して内部には収納空間を備え、前記収納空間の前、後側壁には、入口、出口孔槽をそれぞれ開設し、
前記上部スイングアームの一端は、前記上部ベースの可動設置部上に可動状に設置し、  前記上部連動アームは前記ハウジングの収納空間内に収容設置し、一端は前記入口に相対して第一可動接続部を備え、反対端は延伸し出口孔槽を出て第二可動接続部を備え、前記第一可動接続部と前記第二可動接続部との間には、前記上部スイングアーム反対端と可動状に接続する第三可動接続部を設置し、
前記出力ロッドは少なくともひとつの出力モーターに連動されるボルトを備え、前記ハウジングの収納空間内内に位置して直線移動運動を形成する出力部品を駆動し、前記出力部品一端は前記上部連動アームの第一可動接続部と可動状に接続し、
前記圧迫ロッド上端は前記上部連動アームの第二可動接続部に可動状に設置し、
前記第一底部ベース上には可動設置点を備えるブロックを設置し、しかも前記ブロック上は前記出力ロッド出力部品に対応して運動し、長槽を形成し、
前記下部スイングアームの一端は、前記圧迫ロッド下端と可動状に接続し、反対端はピン部品を通して、前記底部ベースの長槽上に組み合わせて接続して可動状となり、中央に近い部分は、前記下部スイングアームの反対端と可動状に接続することを特徴とする電動防水扉の水密構造。
【請求項２】
前記水密装置の上部連動アームは、２個の同じ形状を呈するボード片上に、多数の接合孔を設置し、接続ピンの接合孔への可動設置を通して、前記出力部品、前記圧迫ロッド上端、前記上部スイングアーム反対端と可動接続する第一、二、三可動接続部を構成することを特徴とする請求項１に記載の電動防水扉の水密構造。
【請求項３】
前記出力ロッドの出力モーターは、ボルトを連動して出力部品を駆動し、前記出力部品一端は前記ハウジングの入口により、前記収納空間に進入し前記上部連動アームの第一可動接続部と可動状に接続、しかも内に、内ねじ山を備え、ボルトと螺合する螺管出力部品であることを特徴とする請求項１に記載の電動防水扉の水密構造。
【請求項４】
前記出力部品は内ねじ山を持つ螺管体の一端により前記ボルト上に螺合し、反対端より前記ハウジングの入口より延伸して前記収納空間に進入し、前記上部連動アームの第一可動接続部と可動状に接続し、前記ハウジングの入口位置の出力部品の管体外部にはさらに、前記ハウジング上に固定する軸受け筒を設置することを特徴とする請求項３に記載の電動防水扉の水密構造。
【請求項５】
前記出力部品管体外部は、前記軸受け筒の軸受け筒孔を通過し、前記出力部品管体外部は完全な円ではない管体で、少なくとも１個の回転制限面を備え、しかも前記軸受け筒の軸受け筒孔は、前記出力部品の管体回転制限面に相対する形状で、孔壁上には少なくとも１個の回転停止面を形成することを特徴とする請求項４に記載の電動防水扉の水密構造。
【請求項６】
前記水密装置の下部連動アームは、２個の同じ形状を呈するボード片上に、多数の接合孔を設置し接続ピンを通して、前記圧迫ロッドの下端及び前記下部スイングアームの反対端と可動状に接続、しかも前記底部ベースの長槽上に前記ピン部品を通して、可動状に接続することを特徴とする請求項１に記載の電動防水扉の水密構造。
【考案の詳細な説明】
【技術分野】
【０００１】
本考案は電動防水扉の水密構造に関し、包括的な防水、止水効果を提供でき、しかも取り付けとメンテナンスに有利な電動防水扉の水密構造に関する。
【背景技術】
【０００２】
世界的な気候変動が原因で、台風、洪水など各種自然災害が頻発するようになって人々の生命と財産に損害を及ぼしている。そうした災害時防水扉の使用は、室内や地下室への洪水の浸入による損害を軽減することができる。中でも自動或いは電動防水扉は、公共の場所に使用され最も評価が高いものである。従来の自動防水扉の構造には、特許文献１の「自動防水扉構造」がある。同構造には下向きに押す油圧シリンダーと横向きに押す油圧シリンダーを設置し、それら油圧シリンダーが防水扉片上面と側面に作用する。これにより扉レール枠辺上の防水ゴムパッキンを密着させ、水の浸入を防止し、或いは防水効果を達成する。しかし下向きに押す油圧シリンダーと横向きに押す油圧シリンダーの使用は、油圧ポンプと圧油供給設備の設置を必要とする。このため設置コストが高くなるばかりか、圧油供給ルートで油漏れの問題がおきやすいため、使用が長期にわたると、メンテナンス費用が高くなってしまう。特に防水扉片側の密閉(すなわち、扉レール位置)の横向きに押す油圧シリンダーは、扉レールの上端内側に設置するため、扉レール上端の空間は、充分な運動空間を獲得するため大きくしなければならない。しかもそのピストンの出力作用端は一定の高さまで必ず降下するため最上縁の防水扉片は、防水ゴムパッキンと密着することができず、防水作用に悪影響を及ぼしてしまう。
本考案は、従来の防水扉の上記した欠点に鑑みてなされたものである。
【先行技術文献】
【特許文献】
【０００３】
【特許文献１】台湾特許第Ｍ３９３５６４号明細書
【考案の概要】
【考案が解決しようとする課題】
【０００４】
本考案が解決しようとする第一の課題は、シャーシ内に多数の防水扉板を寄せて収納し、第一モーターは、スプロケットホイールにより各防水扉板を接続するチェーンを連動し、これにより各防水扉板を、一つ一つ出口から送り出し下へと移動させ、両側に上から下へと直列するシールゴムパッキンをそれぞれ備える扉レール内へと進入させ、相互に重ねて接続させる。しかもシャーシ内の防水扉板両側には、さらに水密装置をそれぞれ設置し、出口上縁、側縁には少なくとも１個の加圧装置を設置し、水密装置は少なくとも１個の上部ベース、ハウジング、上部スイングアーム、上部連動アーム、出力ロッド、圧迫ロッド、底部ベース、下部スイングアーム、下部連動アームを備え、上部ベース上には、可動設置部を備え、ハウジングの底端は上部ベース上に固定して設置し、内部には収納空間を備え、収納空間の前、後側壁には、入口、出口孔槽をそれぞれ開設し、上部スイングアームの一端は、上部ベースの可動設置部上に可動状に設置し、上部連動アームはハウジングの収納空間内に収容設置し、一端は入口に相対して第一可動接続部を備え、反対端は延伸し出口孔槽を出て、第二可動接続部を備え、第一可動接続部と第二可動接続部との間には、上部スイングアーム反対端と可動状に接続する第三可動接続部を設置し、出力ロッドは少なくともひとつの出力モーターに連動されるボルトを備え、ハウジングの収納空間内に位置し、直線移動運動を形成する出力部品を駆動し、出力部品一端は、上部連動アームの第一可動接続部と可動状に接続し、圧迫ロッド上端は上部連動アームの第二可動接続部に可動状に設置し、第一底部ベース上には可動設置点を備えるブロックを設置する。しかもブロック上は出力ロッド出力部品に対応して運動して長槽を形成し、下部スイングアームの一端は、圧迫ロッド下端と可動状に接続し、反対端はピン部品を通して、底部ベースの長槽上に組み合わせて接続して可動状となり、中央に近い部分は、下部スイングアームの反対端と可動状に接続し、各防水扉板両側が、それぞれ扉レール内に進入し相互に重なって接続する時、ボルトにより出力部品を駆動し、上部連動アームの第一可動接続部端を押す。第三可動接続部は、上部スイングアームの牽引を受けるため、第二可動接続部端は、逆向きの放物線に近いルートで、圧迫ロッドを連動し、下方へと移動させ、下部連動アームのピン部品端は、長槽内におけるスライド移動に限定されるため、下部スイングアームの牽引により、連動アームの同期相対運動は、圧迫ロッドの一面端を各防水扉板の板面に向かい密着させて押す。これにより、全部の各防水扉板は、扉レール上のシールゴムパッキンと水密を形成し、加圧装置の出口位置における防水扉板に対する加圧を対応させ、これにより２枚の防水扉板間は相互に止水性を備えた緊密な接続を形成し、防水扉を閉じた後は、防水、止水を完成でき、包括的な防水、止水能力の向上を達成する。しかも設置とメンテナンスにも有利となる電動防水扉の水密構造を提供することである。
本考案が解決しようとする第二の課題は、水密装置の上部連動アームは、２個の同じ形状を呈するボード片上に、多数の接合孔を設置し、接続ピンの接続ピンへの可動設置を通して、出力部品、圧迫ロッド上端、上部スイングアーム反対端と可動接続する第一、二、三可動接続部を構成し、これにより第一可動接続部が出力部品により押されると、２個のボード片の組合せにより得られる良好な剛性は、第二可動接続部に、圧迫ロッドを効果的に連動して防水扉板を押す。しかも出力部品の戻る動作では、２個のボード片が可動接続して組合せ得られた上部連動アームの軽量化作用により、出力部品の戻る際の負荷を効果的に軽減することができる電動防水扉の水密構造を提供することである。
本考案が解決しようとする第三の課題は、出力ロッドの出力モーターは、ボルトを連動して出力部品を駆動し、出力部品一端はハウジングの入口により、収納空間に進入し、上部連動アームの第一可動接続部と可動状に接続する。しかも内に、内ねじ山を備え、ボルトと螺合する螺管出力部品で、ボルトの回転制御により、出力部品を駆動して往復運動を行わせ、上部連動アームの第一可動接続部を前へと押し、或いは後へ引き、上部連動アームの第二可動接続部は圧迫ロッドを連動し防水扉板を圧迫して押す動作を形成するか防水扉板から離れ、圧迫して押す動作を解除する。しかも出力部品は、内ねじ山を持つ螺管体の一端によりボルト上に螺合し、反対端によりハウジングの入口より延伸して収納空間に進入、上部連動アームの第一可動接続部と可動状に接続する。ハウジングの入口位置の出力部品の管体外部にはさらに、ハウジング上に固定する軸受け筒を設置し、軸受け筒により出力部品の管体を受止める時、一緒にボルトの支持力によって延長し、ボルトが出力部品を駆動し、管体の直線伸縮の安定性を効果的に向上させることができ、また出力部品管体外部は、軸受け筒の軸受け筒孔を通過し、出力部品管体外部は、完全な円ではない管体で、少なくとも１個の回転制限面を備える。しかも軸受け筒の軸受け筒孔は、出力部品の管体回転制限面に相対する形状で、孔壁上には少なくとも１個の回転停止面を形成し、出力部品管体により、軸受け筒の軸受け筒孔内を貫通する時、回転停止面により回転制限面に対応して回転制限作用を生じる。こうして出力部品管体一端は、上部連動アームの第一可動接続部と可動接続して回転し、第一可動接続部を回す力の発生を避けることができる電動防水扉の水密構造を提供することである。
本考案が解決しようとする第四の課題は、水密装置の下部連動アームは、２個の同じ形状を呈するボード片上に、多数の接合孔を設置し接続ピンを通して、圧迫ロッドの下端及び下部スイングアームの反対端と可動状に接続する。しかも底部ベースの長槽上にピン部品を通して可動状に接続し、下部連動アームは圧迫ロッドにより下方へと連動される時、２個のロングプレートが底部ベース、下部スイングアーム、圧迫ロッド上に可動設置して組合せることで得られる良好な剛性により一端が限定され、長槽上で直線スライド移動する下部連動アームは、下部スイングアームの牽引を受け十分な強度により、上部連動アームと相互に対応する同期運動を生じる。こうして圧迫ロッドは効果的に、防水扉板の板面上を圧迫して押し、しかも圧迫ロッドが上方へと戻る際には、２個のロングプレートを可動設置して組合せ得られる下部連動アームの軽量化作用により、圧迫ロッド復位時の負荷を効果的に軽減することができる電動防水扉の水密構造を提供することである。
【課題を解決するための手段】
【０００５】
上記課題を解決するため、本考案は下記の電動防水扉の水密構造を提供する。
【考案の効果】
【０００６】
本考案の電動防水扉の水密構造は、２枚の防水扉板間に相互に止水性を備えた緊密な接続を形成し、防水扉を閉じた後は防水、止水動作を完成でき、包括的な防水、止水能力の向上を達成することができ、しかも設置とメンテナンスにも有利である。
【図面の簡単な説明】
【０００７】
【図１】本考案の防水扉上における設置位置の模式図である。
【図２】図１のA-A位置における断面構造模式図である。
【図３】本考案の構造立体分解模式図である。
【図４】本考案の組合せ構造断面図である。
【図５】本考案底部ベースが扉レール底部に位置する様子を示す上視構造模式図である。
【図６】本考案圧迫ロッドが防水扉板を押し、扉レールシールゴムパッキンに接触する様子の断面模式図である。
【図７】本考案において圧迫ロッドを操作し前へと押し、或いは後退させて防水扉板から離す様子を示す外観模式図である。
【図８】本考案において圧迫ロッドを操作し前へと押し、或いは後退させて防水扉板から離す様子を示す連動関係模式図である。
【図９】本考案において防水扉板の水密を完成した時の状態の外観模式図である。
【図１０】本考案において防水扉板の水密を完成した時の状態の構造断面図である。
【考案を実施するための形態】
【実施例】
【０００８】
電動防水扉の水密装置構造は、図１、２、５、７に示すように、シャーシ１０内に多数の防水扉板２０を寄せて収納する。
第一モーター３０は、スプロケットホイール３１により各防水扉板２０を接続するチェーン３２を連動する。
これにより各防水扉板２０を、一つ一つ出口１１から送り出し、下へと移動させ、両側に上から下へと直列するシールゴムパッキン４０をそれぞれ備える扉レール５０内へと進入させ、相互に重ねて接続させる。
さらにシャーシ１０内の防水扉板２０両側には、水密装置６０をそれぞれ設置する。出口１１上縁、側縁には少なくとも１個の加圧装置７０を設置する。
水密装置６０は、図３〜５に示すように、少なくとも１個の上部ベース６１、ハウジング６２、上部スイングアーム６３、上部連動アーム６４、出力ロッド６５、圧迫ロッド６６、底部ベース６７、下部スイングアーム６８、下部連動アーム６９を備える。上部ベース６１上には可動設置部６１０を備える。ハウジング６２の底端は、上部ベース６１上に固定して設置し、内部には収納空間６２０を備える。
上部スイングアーム６３の一端は、上部ベース６１の可動設置部６１０上に可動状に設置する。
上部連動アーム６４はハウジング６２の収納空間６２０内に収容設置し、一端は入口６２１に相対し、第一可動接続部６４１を備え、反対端は延伸して出口孔槽６２２を出て、第二可動接続部６４２を備える。
第一可動接続部６４１と第二可動接続部６４２との間には、上部スイングアーム６３反対端と可動状に接続する第三可動接続部６４３を設置する。
出力ロッド６５は少なくとも出力モーター６５０に連動されるボルト６５１を備え、ハウジング６２の収納空間内６２０内に位置し、直線移動運動を形成する出力部品６５２を駆動する。
出力部品６５２一端は、上部連動アーム６４の第一可動接続部６４１と可動状に接続する。圧迫ロッド６６上端は、上部連動アーム６４の第二可動接続部６４２に可動状に設置する。
底部ベース６７上には、可動設置点６７０を備えブロック６７１を設置する。
さらにブロック６７１上には、出力ロッド６５出力部品６５２に対応して運動し長槽６７２を形成する。下部スイングアーム６８の一端は、底部ベース６７の可動設置点６７０上に可動状に設置する。
下部連動アーム６９の一端は、圧迫ロッド６６下端と可動状に接続し、反対端はピン部品６９１を通して、底部ベース６７の長槽６７２上に組み合わせて接続し可動状となる。
中央に近い部分は、下部スイングアーム６８の反対端と可動状に接続する。
図７、８に示すように、各防水扉板２０両側が、それぞれ扉レール５０内に進入し相互に重なって接続すると、水密装置６０の出力モーター６５０は起動する。
これによりボルト６５１は出力部品６５２を駆動し、横方向垂直の運動形態により、上部連動アーム６４の第一可動接続部６４１端を押す。
上部連動アーム６４の第一可動接続部６４１は、横方向直線移動の過程において、第三可動接続部６４３が、上部スイングアーム６３の牽引を受けることで、その第二可動接続部６４２端は、逆向きの放物線に近いルートで、圧迫ロッド６６を連動し、(前方)下方へと移動させ、圧迫ロッド６６により下部連動アーム６９を連動する。
下部連動アーム６９のピン部品６９１端は、長槽６７２内における横方向直線スライド移動に限定されるため、下部スイングアーム６８の牽引により下部連動アーム６９が反応する同期した相対的な動きは、圧迫ロッド６６の一面端を防水扉板２０の板面と平行な状態に保持させ、各防水扉板２０の板面に向かい密着させて押す。図６、９、１０に示すように各防水扉板２０がすべて、扉レール５０のシールゴムパッキン４０上に密着して水密を形成する。
加圧装置７０を組み合わせて出口１１位置において、モーター電動ボルト７１により、圧迫ブロック７２の下方移動駆動する。
出口１１位置の防水扉板２０に対する加圧は、二つの防水扉板２０間に止水性の緊密接続を相互に形成させ、防水扉を閉じることによる防水、止水動作を完成する。
水密装置６０の圧迫ロッド６６を利用し、上から下へと、各防水扉板２０の板面上に密着し、前方へと押す作用を形成する。
これにより全部の各防水扉板２０は、扉レール５０上のシールゴムパッキン４０と水密を形成する。こうして防水扉は包括的な防水、止水能力の向上を達成し、しかも設置とメンテナンスにも有利となる。
【０００９】
上記実施例において、図３、４に示すように、水密装置６０の上部連動アーム６４は、２個の同じ形状を呈するボード片６４０Ａ、６４０Ｂ上に、多数の接合孔を設置し、接続ピン６４４の接合孔への可動設置を通して、出力部品６５２、圧迫ロッド６６上端、上部スイングアーム６３反対端と可動接続する第一、二、三可動接続部６４１、６４２、６４３を構成する。
図３、８に示すように第一可動接続部６４１は、出力部品６５２により直線横方向に押される時、２個のボード片６４０Ａ、６４０Ｂが、可動接続して組み合わされて得られる良好な剛性は、図９、１０に示すように、第二可動接続部６４２に、圧迫ロッド６６を効果的に連動し、防水扉板２０を押して下方移動と前進の水密力を発生する。
しかも図３、７、８に示すように、出力部品６５２の戻る動作は、２個のボード片６４０Ａ、６４０Ｂ(接続ピン６４４)が可動接続して組合せ得られた上部連動アーム６４軽量化の作用(中空アームに類似)を利用し、出力部品６５２の戻る際の負荷を効果的に軽減することができる。
【００１０】
上記実施例において、図３、４に示すように、出力ロッド６５の出力モーター６５０は、ボルト６５１を連動して出力部品６５２を駆動する。
一端はハウジング６２の入口６２１により、収納空間６２０に進入し、上部連動アーム６４の第一可動接続部６４１と可動状に接続する。
しかも内に、内ねじ山を備え、ボルト６５１と螺合する出力部品６５２は、図８に示すように、ボルト６５１の回転によりコントロール（起動、停止、正方向回転、逆方向回転）される。
こうして出力部品６５２を駆動し、直線横方向往復運動により、上部連動アーム６４の第一可動接続部６４１を前方へと押し、或いは後方へと引く。
これにより上部連動アーム６４の第二可動接続部６４２は、圧迫ロッド６６を連動し防水扉板２０に対して圧迫して押す(水密)動作を形成、或いは防水扉板２０から離れ圧迫動作を解除する。
図３、４に示すように出力部品６５２は内ねじ山を持つ螺管体で、その一端よりボルト６５１上に螺合し、反対端のハウジング６２の入口６２１より延伸して収納空間６２０に進入し、上部連動アーム６４の第一可動接続部６４１と可動状に接続する。ハウジング６２の入口６２１位置の出力部品６５２の管体外部にはさらに、ハウジング６２上に固定する軸受け筒６２３を設置する。
軸受け筒６２３により出力部品６５２を受止める時、一緒にボルト６５１の支持力によって延長し、ボルト６５１が出力部品６５２を駆動し、管体の直線伸縮の安定性を効果的に向上させることができる。
しかも出力部品６５２管体外部は、軸受け筒６２３の軸受け筒孔６２４を通過する。
出力部品６５２管体外部は、完全な円ではない管体で、少なくとも１個の回転制限面６５３（或いは、外へと突出し、或いは内へと陥没した回転制限部）を備える。
しかも軸受け筒６２３の軸受け筒孔６２４は、出力部品６５２の管体回転制限面６５３(或いは、回転制限部)に相対する形状で、孔壁上には少なくとも１個の回転停止面６２５(或いは、回転停止部)を形成する。
出力部品６５２管体により、軸受け筒６２３の軸受け筒孔６２４内を貫通する時、回転停止面６２５により回転制限面６５３に対応して回転制限作用を生じる。
こうして出力部品６５２管体一端は、上部連動アーム６４の第一可動接続部６４１と可動接続して回転し、第一可動接続部６４１の回転発生を避けることができる。
これにより軸設置の安定性を確保し、伝達を安定させる効果を達成することができる。
【００１１】
上記実施例において、図３〜５に示すように水密装置６０の下部連動アーム６９は、相互に対応する形状を呈する２個のロングプレート６９０Ａ、６９０Ｂ上に設置する多数の接合孔により、接続ピン６９２は圧迫ロッド６６の下端及び下部スイングアーム６８の反対端と可動状に接続する。しかも底部ベース６７の長槽６７２上に、ピン部品６９１を通して可動状に接続することができる。
図３、６、８に示すように、下部連動アーム６９は圧迫ロッド６６により下方へと連動する時、２個のロングプレート６９０Ａ、６９０Ｂが、底部ベース６７、下部スイングアーム６８、圧迫ロッド６６上に可動設置して組合せることで得られる良好な剛性により一端が限定され、長槽６７２上で直線スライド移動する下部連動アーム６９は、下部スイングアーム６８の牽引を受け、十分な強度により上部連動アーム６４と相互に対応する同期運動を生じる。こうして図９、１０に示すように、圧迫ロッド６６は効果的に防水扉板２０の板面上を圧迫して押す。
さらに図６〜８に示すように、圧迫ロッド６６が上方へと戻る移動を行う際には、２個のロングプレート６９０Ａ、６９０Ｂを可動設置して組合せ得られる下部連動アーム６９の軽量化作用により、圧迫ロッド６６復位時の負荷を効果的に軽減することができる。
【００１２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１３】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００１４】
１０    シャーシ
１１    出口
２０    防水扉板
３０    第一モーター
３１    スプロケットホイール
３２    チェーン
４０    シールゴムパッキン
５０    扉レール
６０    水密装置
６１    上部ベース
６１０  可動設置部
６２    ハウジング
６２０  収納空間
６２１  入口
６２２  出口孔槽
６２３  軸受け筒
６２４  軸受け筒孔
６２５  回転停止面
６３    上部スイングアーム
６４    上部連動アーム
６４０Ａ、６４０Ｂ  ボード片
６４１  第一可動接続部
６４２  第二可動接続部
６４３  第三可動接続部
６４４  接続ピン
６５    出力ロッド
６５０  出力モーター
６５１  ボルト
６５２  出力部品
６５３  回転制限面
６６    圧迫ロッド
６７    底部ベース
６７０  可動設置点
６７１  ブロック
６７２  長槽
６８    下部スイングアーム
６９    下部連動アーム
６９０Ａ、６９０Ｂ  ロングプレート
６９１  ピン部品
６９２  接続ピン
７０    加圧装置
７１    ボルト
７２    圧迫ブロック
【図１】
0003185150.tif 000003
【図２】
0003185150.tif 000004
【図３】
0003185150.tif 000005
【図４】
0003185150.tif 000006
【図５】
0003185150.tif 000007
【図６】
0003185150.tif 000008
【図７】
0003185150.tif 000009
【図８】
0003185150.tif 000010
【図９】
0003185150.tif 000011
【図１０】
0003185150.tif 000012